(57)【要約】【課題】電子商取引に対応した取引支援システムを提供すること。【解決手段】オークション支援システムであって、登録販売商品情報及び登録設置商品情報とが組み合わせられたセット情報を生成するセット情報生成処理を実行し、各オークション取引について、その取引の登録購入商品情報に含まれる商品情報と適合する商品情報を含む１つ以上のセット情報を抽出するセット情報抽出処理を実行し、セット情報群のうちから所定の基準に基づいて選択されるセット情報に含まれる条件で、オークション取引を成立させる落札処理を実行する。【選択図】図１
2019023778.tif 000002
【特許請求の範囲】
【請求項１】
商品の買い手が使用する買い手端末、商品販売者が使用する売り手端末および商品設置者が使用する設置者端末が通信可能な状態で接続されるオークション支援システムサーバであり、
当該サーバは、情報を記憶する記憶部と、前記端末から受信した情報及び前記記憶部に記憶された情報を処理する情報処理部とを備え、
前記記憶部は、各端末から受信した情報及び前記情報処理部での処理によって生成された情報を記憶するものであり、
前記情報処理部は、
前記買い手端末から受信した商品に関する希望購入条件の情報に基づいて、登録購入商品情報を生成し、当該登録購入商品情報に基づくオークション取引を生成するオークション取引生成処理と、
前記売り手端末から受信した商品に関する希望販売条件の情報に基づいて、登録販売商品情報を生成する販売商品情報生成処理と、
前記設置者端末から受信した希望設置条件の情報に基づいて、登録設置商品情報を生成する設置商品情報生成処理と、を実行するものであり、
前記登録購入商品情報は、少なくとも、購入希望商品を特定する商品情報と、当該商品の希望購入価格とを含み、
前記登録販売商品情報は、少なくとも、販売希望商品を特定する商品情報と、当該商品の希望販売価格とを含み、
前記登録設置商品情報は、少なくとも、設置希望商品を特定する商品情報と、当該商品の希望設置価格とを含み、
前記情報処理部は、さらに、
生成された前記登録販売商品情報及び前記登録設置商品情報とが組み合わせられたセット情報を生成するセット情報生成処理と、
登録された各オークション取引について、オークション取引の前記登録購入商品情報に含まれる商品情報と適合する商品情報を含む１つ以上のセット情報を抽出するセット情報抽出処理を実行するものであり、
当該セット情報抽出処理で抽出された１つ以上のセット情報で構成されるセット情報群は、オークション取引で所定の基準に基づいてセット情報を選択する落札処理を行う場合に、選択の基礎情報群として用いられる情報群である、オークション支援システムサーバ。
【請求項２】
商品の買い手が使用する買い手端末と、商品販売者が使用する売り手端末と、商品設置者が使用する設置者端末と、これらの端末が通信可能な状態で接続されるオークション処理手段とを含み、
前記オークション処理手段は、情報を記憶する記憶部と、前記端末から受信した情報及び前記記憶部に記憶された情報を処理する情報処理部とを備えるオークション支援システムであって、
前記記憶部は、各端末から受信した情報及び前記情報処理部での処理によって生成された情報を記憶するものであり、
前記情報処理部は、
前記買い手端末から受信した商品に関する希望購入条件の情報に基づいて、登録購入商品情報を生成し、当該登録購入商品情報に基づくオークション取引を生成するオークション取引生成処理と、
前記売り手端末から受信した商品に関する希望販売条件の情報に基づいて、登録販売商品情報を生成する販売商品情報生成処理と、
前記設置者端末から受信した希望設置条件の情報に基づいて、登録設置商品情報を生成する設置商品情報生成処理と、を実行するものであり、
前記登録購入商品情報は、少なくとも、購入希望商品を特定する商品情報と、当該商品の希望購入価格とを含み、
前記登録販売商品情報は、少なくとも、販売希望商品を特定する商品情報と、当該商品の希望販売価格とを含み、
前記登録設置商品情報は、少なくとも、設置希望商品を特定する商品情報と、当該商品の希望設置価格とを含み、
前記情報処理部は、さらに、
生成された前記登録販売商品情報及び前記登録設置商品情報とが組み合わせられたセット情報を生成するセット情報生成処理を実行するものであり、
当該セット情報生成処理は、共通の商品情報を含む１つ以上の前記登録販売商品情報及び１つ以上の前記登録設置商品情報を認識し、認識した登録販売商品情報と登録設置商品情報との組み合わせにより生成される前記セット情報を１つ以上生成する処理であり、
当該セット情報は、少なくとも、商品の特定に用いられる前記商品情報と、前記希望販売価格及び前記希望設置価格に基づいて算出されるセット価格とを含む情報群であり、
前記情報処理部は、さらに、
登録された各オークション取引について、オークション取引の前記登録購入商品情報に含まれる商品情報と適合する商品情報を含む１つ以上のセット情報を抽出するセット情報抽出処理を実行するものであり、
当該セット情報抽出処理で抽出された１つ以上のセット情報で構成されるセット情報群は、オークション取引で所定の基準に基づいてセット情報を選択する落札処理を行う場合に、選択の基礎情報群として用いられる情報群である、オークション支援システム。
【請求項３】
前記情報処理部は、前記セット情報群のうちから所定の基準に基づいて選択されるセット情報に含まれる条件で、当該オークション取引を成立させる落札処理を実行することができる、請求項２に記載のオークション支援システム。
【請求項４】
前記希望購入条件及び前記登録購入商品情報は、購入希望商品の希望設置日時を含み、
前記希望設置条件及び前記登録設置商品情報は、希望設置商品の可能設置日時を含み、
前記セット情報は、前記希望設置日時及び前記可能設置日時を含む情報群であり、
前記セット情報抽出処理で抽出されるセット情報は、セット情報に含まれる前記可能設置日時が前記オークション取引の前記登録購入商品情報に含まれる希望設置日時の条件を満たしている１つ以上のセット情報である、請求項２又は請求項３に記載のオークション支援システム。
【請求項５】
前記希望販売条件及び前記登録販売商品情報は、希望販売商品の可能納品日時を含み、
前記希望設置条件及び前記登録設置商品情報は、希望設置商品の希望納品日時を含み、
前記セット情報は、前記可能納品日時及び前記希望納品日時を含む情報群であり、
前記セット情報生成処理は、前記販売希望商品及び前記設置希望商品を探索して、
前記販売希望商品及び前記設置希望商品が同一である１つ以上の前記登録販売商品情報及び１つ以上の前記登録設置商品情報を認識し、認識した登録販売商品情報に含まれる可能納品日時と、認識した登録設置商品情報に含まれる前記希望納品日時とを比較して条件を満たす前記登録販売商品情報と前記登録設置商品情報とを組み合わせて１つ以上のセット情報を生成する、請求項４に記載のオークション支援システム。
【請求項６】
前記希望購入条件及び前記登録購入商品情報は、オークション取引の落札日時を含み、
前記セット情報抽出処理で抽出されるセット情報は、前記落札日時が前記登録設置商品情報に含まれる希望納品日時より前であるという条件を満たす１つ以上のセット情報である、請求項５に記載のオークション支援システム。
【請求項７】
前記情報処理部は、前記オークション取引を主催する買い手が使用している買い手端末から、前記オークション取引の前記登録購入商品情報に含まれる前記落札日時よりも前の時点での落札を求める落札要求信号を受信すると、前記落札日時よりも前に落札を実行する早期落札処理を実行するものであり、
前記落札要求信号は、希望する早期落札日時の情報を含み、
前記早期落札処理は、前記早期落札日時に前記落札処理を実行する、請求項６に記載のオークション支援システム。
【請求項８】
前記落札要求信号は、前記早期落札日時として、即時との情報を含むことができるものであり、
前記早期落札処理は、前記早期落札日時が即時である場合、前記落札要求信号を受信すると即時に前記落札処理を実行する、請求項７に記載のオークション支援システム。
【請求項９】
前記落札要求信号は、さらに、前記セット情報抽出処理で抽出された１つ以上のセット情報で構成されたセット情報群のうちから選択された１つの選択セット情報を含み、
即時に実行される前記落札処理は、前記選択セット情報の条件で前記オークション取引を成立させる、請求項８に記載されるオークション支援システム。
【請求項１０】
前記記憶部は、オークションシステムで取り扱われる商品の過去及び現在の価格に関する情報を記憶する価格記憶部を備えており、
前記情報処理部は、定期的に、
各登録販売商品情報に含まれる商品情報および当該商品情報の商品の希望販売価格と、これらの情報が有効であった情報有効日時の情報とを含む登録販売保存情報を前記価格記憶部に記憶する登録販売保存情報生成処理と、
各登録設置商品情報に含まれる商品情報および当該商品情報の商品の希望設置価格と、これらの情報が有効であった情報有効日時の情報とを含む登録設置保存情報を前記価格記憶部に記憶する登録設置保存情報生成処理と、を実行するものであり、
前記情報処理部は、さらに、前記情報有効日時の日付情報が一致する前記登録販売保存情報及び前記登録設置保存情報を基に算出される各商品の最低セット価格又は平均セット価格のうちの少なくともいずれか一方である参考セット価格を情報として含む参考セット価格保存情報を生成して記憶する参考セット価格保存情報生成処理と、
当該参考セット価格保存情報を用いて、当該参考セット価格の過去から現在への推移を示す参考セット価格変動情報を生成して記憶する参考セット価格変動情報生成処理と、を実行するものであり、
前記情報処理部は、前記オークション取引の主催者である買い手が使用する買い手端末から、当該オークション取引の商品に関する前記参考セット価格変動情報の提供を求める参考セット価格変動情報要求を受信すると、当該参考セット価格変動情報を、前記買い手端末に送信する参考セット価格変動情報提供処理を実行する、請求項４から請求項９のいずれか一項に記載されるオークション支援システム。
【請求項１１】
前記登録設置保存情報は、さらに、前記情報有効日時と当該登録設置保存情報の生成に用いられた前記登録設置商品情報に含まれる可能設置日時との差分期間の情報を含み、
前記参考セット価格保存情報は、
当該参考セット価格として最低セット価格情報を記憶している場合、当該最低セット価格の生成に用いられた前記登録設置保存情報に含まれる前記差分期間の情報を含み、
前記参考セット価格として平均セット価格情報を記憶している場合、当該平均セット価格の生成に用いられた１つ以上の前記登録設置保存情報に含まれる前記差分期間を平均して生成される平均差分期間の情報を含み、
前記参考セット価格保存情報要求は、前記差分期間及び／又は前記平均差分期間の情報を要求するものであり、
前記参考セット価格保存情報提供処理は、前記参考セット価格保存情報要求を受信すると、前記差分期間及び／又は前記平均差分期間の情報を含む前記参考セット価格変動情報を、前記買い手端末に送信する、請求項１０に記載されるオークション支援システム。
【請求項１２】
前記記憶部は、オークションシステムで取り扱われる商品の過去及び現在の価格に関する情報を記憶する価格記憶部を備えており、
前記情報処理部は、定期的に、
各登録設置商品情報に含まれる商品情報および当該商品情報の商品の希望設置価格と、これらの情報が有効であった情報有効日時と、当該情報有効日時と前記登録設置商品情報に含まれる可能設置日時との差分期間の情報とを含む登録設置保存情報を前記価格記憶部に記憶する登録設置保存情報生成処理を実行するものであり、
前記情報処理部は、さらに、各オークション取引の対象商品に関する複数の登録設置保存情報を用いて、前記差分期間の時間軸と前記希望設置価格の設置価格軸とで構成される二次元座標に、各登録設置保存情報に含まれる前記差分期間を負の値にした値および前記希望設置価格の値で特定される特定点を反映し、当該複数の特定点が反映された二次元座標情報に基づいて、基準とする設置日に向かう希望設置価格の推移を示す設置日基準希望設置価格変動情報を生成する設置日基準希望設置価格変動情報生成処理を実行するものであり、
前記情報処理部は、前記オークション取引を主催する買い手が使用している買い手端末から、オークション取引の対象商品に関する前記設置日基準希望設置価格変動情報の提供を求める設置日基準希望設置価格変動情報要求を受信すると、当該設置日基準希望設置価格変動情報を、前記買い手端末に送信する設置日基準希望設置価格変動情報提供処理を実行する、請求項４から請求項１１のいずれか一項に記載されるオークション支援システム。
【請求項１３】
前記情報処理部は、さらに、定期的に、
各登録販売商品情報に含まれる商品情報および当該商品情報の商品の希望販売価格と、これらの情報が有効であった情報有効日時の情報とを含む登録販売保存情報を前記価格記憶部に記憶する登録販売保存情報生成処理と、
前記情報有効日時情報の日付が一致する前記登録販売保存情報及び前記登録設置保存情報を基に算出される希望セット価格と、当該希望セット価格の生成に用いられた前記登録設置保存情報の情報とを含むセット価格保存情報を生成するセット価格保存情報生成処理とを実行するものであり、
前記情報処理部は、さらに、各オークション取引の対象商品に関する複数のセット価格保存情報を用いて、前記差分期間の時間軸と前記希望セット価格のセット価格軸とで構成される二次元座標に、各セット価格保存情報に含まれる前記差分期間を負の値にした値および前記希望セット価格の値で特定される特定点を反映し、当該複数の特定点が反映された二次元座標情報に基づいて、設置日を基準とする希望セット価格の推移を示す設置日基準希望セット価格変動情報を生成する設置日基準希望セット価格変動情報生成処理を実行するものであり、
前記情報処理部は、前記オークション取引を主催する買い手が使用している買い手端末から、オークション取引の対象商品に関する前記設置日基準希望セット価格変動情報の提供を求める設置日基準希望セット価格変動情報要求を受信すると、当該設置日基準希望セット価格変動情報を、前記買い手端末に送信する設置日基準希望セット価格変動情報提供処理を実行する、請求項１２に記載されるオークション支援システム。
【請求項１４】
前記記憶部は、設置された前記商品の設置品質を記憶する品質記憶部を備えており、
前記情報処理部は、前記設置者端末から受信した設置結果の情報に基づいて、登録商品設置実績情報を生成する商品設置実績情報生成処理を実行するものであり、
当該登録商品設置実績情報は、少なくとも、設置者を特定する設置者情報と、設置した商品を特定する商品情報とを含み、
前記情報処理部は、前記オークション取引を主催する買い手が使用している買い手端末から、抽出されたセット情報のうちのいずれかのセット情報に含まれる設置者情報の設置者の商品設置実績の開示を求める設置実績開示信号を受信すると、当該セット情報の商品に関する当該設置者の１つ以上の前記登録商品設置実績情報を、前記買い手端末に送信する商品設置実績開示処理を実行する、請求項２から請求項１３のいずれか一項に記載されるオークション支援システム。
【請求項１５】
前記情報処理部は、前記セット情報抽出処理で抽出された１つ以上のセット情報で構成されたセット情報群のうちから特定される１つ以上の特定セット情報を前記セット情報群から除外することについて、前記オークション取引を主催する買い手が使用している買い手端末から除外信号を受信すると、前記特定セット情報を前記セット情報群から除外する除外処理を実行する、請求項２から請求項１４のいずれか一項に記載されるオークション支援システム。
【発明の詳細な説明】
【技術分野】
【０００１】
本発明は、電子商取引を支援するシステムに関し、特にオークションを支援するシステムに関する。
【背景技術】
【０００２】
電子商取引の一形態として、オークションや逆オークションを実現するシステムがある。インターネットを利用した逆オークションシステムの特徴としては、例えば、各地に散在する多数のサプライヤが参加容易であるという点を挙げることができる。このようなことから、逆オークションシステムとしては、例えば、商品の大量購入を希望するバイヤーが購入予算を有効に執行しやすいシステムが提案されている（特許文献１参照）。
【先行技術文献】
【特許文献】
【０００３】
【特許文献１】特開２００８−３７７２号公報
【発明の概要】
【発明が解決しようとする課題】
【０００４】
ところで、商取引の形態は、近年の価値観の多様化により益々多様化する傾向にある。所定の商品の大量購入とは逆に、例えば、商品の購入数は少量で、しかも特別な条件付きの購入希望などもある。
本発明は、このような問題点に鑑みてなされたものであり、商品の仕様や購入数量以外の条件が付帯された購入希望又は販売希望を扱うオークション等の電子商取引に対応したオークション支援システムを提供することを課題とする。
【課題を解決するための手段】
【０００５】
本発明は、商品の買い手が使用する買い手端末と、商品販売者が使用する売り手端末と、商品設置者が使用する設置者端末と、これらの端末が通信可能な状態で接続されるオークション処理手段とを含み、前記オークション処理手段は、情報を記憶する記憶部と、前記端末から受信した情報及び前記記憶部に記憶された情報を処理する情報処理部とを備えるオークション支援システムであって、前記記憶部は、各端末から受信した情報及び前記情報処理部での処理によって生成された情報を記憶するものであり、前記情報処理部は、前記買い手端末から受信した商品に関する希望購入条件の情報に基づいて、登録購入商品情報を生成し、当該登録購入商品情報に基づくオークション取引を生成するオークション取引生成処理と、前記売り手端末から受信した商品に関する希望販売条件の情報に基づいて、登録販売商品情報を生成する販売商品情報生成処理と、前記設置者端末から受信した希望設置条件の情報に基づいて、登録設置商品情報を生成する設置商品情報生成処理と、を実行するものであり、前記登録購入商品情報は、少なくとも、購入希望商品を特定する商品情報と、当該商品の希望購入価格とを含み、前記登録販売商品情報は、少なくとも、販売希望商品を特定する商品情報と、当該商品の希望販売価格とを含み、前記登録設置商品情報は、少なくとも、設置希望商品を特定する商品情報と、当該商品の希望設置価格とを含み、前記情報処理部は、さらに、生成された前記登録販売商品情報及び前記登録設置商品情報とが組み合わせられたセット情報を生成するセット情報生成処理を実行するものであり、当該セット情報生成処理は、共通の商品情報を含む１つ以上の前記登録販売商品情報及び１つ以上の前記登録設置商品情報を認識し、認識した登録販売商品情報と登録設置商品情報との組み合わせにより生成される前記セット情報を１つ以上生成する処理であり、当該セット情報は、少なくとも、商品の特定に用いられる前記商品情報と、前記希望販売価格及び前記希望設置価格に基づいて算出されるセット価格とを含む情報群であり、前記情報処理部は、さらに、登録された各オークション取引について、オークション取引の前記登録購入商品情報に含まれる商品情報と適合する商品情報を含む１つ以上のセット情報を抽出するセット情報抽出処理を実行するものであり、当該セット情報抽出処理で抽出された１つ以上のセット情報で構成されるセット情報群は、オークション取引で所定の基準に基づいてセット情報を選択する落札処理を行う場合に、選択の基礎情報群として用いられる情報群である、オークション支援システムである。
【０００６】
前記情報処理部は、前記セット情報群のうちから所定の基準に基づいて選択されるセット情報に含まれる条件で、当該オークション取引を成立させる落札処理を実行することができる。
【０００７】
前記希望購入条件及び前記登録購入商品情報は、購入希望商品の希望設置日時を含み、前記希望設置条件及び前記登録設置商品情報は、希望設置商品の可能設置日時を含み、前記セット情報は、前記希望設置日時及び前記可能設置日時を含む情報群であり、前記セット情報抽出処理で抽出されるセット情報は、セット情報に含まれる前記可能設置日時が前記オークション取引の前記登録購入商品情報に含まれる希望設置日時の条件を満たしている１つ以上のセット情報である。
【０００８】
前記希望販売条件及び前記登録販売商品情報は、希望販売商品の可能納品日時を含み、前記希望設置条件及び前記登録設置商品情報は、希望設置商品の希望納品日時を含み、前記セット情報は、前記可能納品日時及び前記希望納品日時を含む情報群であり、前記セット情報生成処理は、前記販売希望商品及び前記設置希望商品を探索して、前記販売希望商品及び前記設置希望商品が同一である１つ以上の前記登録販売商品情報及び１つ以上の前記登録設置商品情報を認識し、認識した登録販売商品情報に含まれる可能納品日時と、認識した登録設置商品情報に含まれる前記希望納品日時とを比較して条件を満たす前記登録販売商品情報と前記登録設置商品情報とを組み合わせて１つ以上のセット情報を生成する。
【０００９】
前記希望購入条件及び前記登録購入商品情報は、オークション取引の落札日時を含み、前記セット情報抽出処理で抽出されるセット情報は、前記落札日時が前記登録設置商品情報に含まれる希望納品日時より前であるという条件を満たす１つ以上のセット情報である。
【００１０】
前記情報処理部は、前記オークション取引を主催する買い手が使用している買い手端末から、前記オークション取引の前記登録購入商品情報に含まれる前記落札日時よりも前の時点での落札を求める落札要求信号を受信すると、前記落札日時よりも前に落札を実行する早期落札処理を実行するものであり、前記落札要求信号は、希望する早期落札日時の情報を含み、前記早期落札処理は、前記早期落札日時に前記落札処理を実行する。
【００１１】
前記落札要求信号は、前記早期落札日時として、即時との情報を含むことができるものであり、前記早期落札処理は、前記早期落札日時が即時である場合、前記落札要求信号を受信すると即時に前記落札処理を実行する。
【００１２】
前記落札要求信号は、さらに、前記セット情報抽出処理で抽出された１つ以上のセット情報で構成されたセット情報群のうちから選択された１つの選択セット情報を含み、即時に実行される前記落札処理は、前記選択セット情報の条件で前記オークション取引を成立させる。
【００１３】
前記記憶部は、オークションシステムで取り扱われる商品の過去及び現在の価格に関する情報を記憶する価格記憶部を備えており、前記情報処理部は、定期的に、各登録販売商品情報に含まれる商品情報および当該商品情報の商品の希望販売価格と、これらの情報が有効であった情報有効日時の情報とを含む登録販売保存情報を前記価格記憶部に記憶する登録販売保存情報生成処理と、各登録設置商品情報に含まれる商品情報および当該商品情報の商品の希望設置価格と、これらの情報が有効であった情報有効日時の情報とを含む登録設置保存情報を前記価格記憶部に記憶する登録設置保存情報生成処理と、を実行するものであり、前記情報処理部は、さらに、前記情報有効日時の日付情報が一致する前記登録販売保存情報及び前記登録設置保存情報を基に算出される各商品の最低セット価格又は平均セット価格のうちの少なくともいずれか一方である参考セット価格を情報として含む参考セット価格保存情報を生成して記憶する参考セット価格保存情報生成処理と、当該参考セット価格保存情報を用いて、当該参考セット価格の過去から現在への推移を示す参考セット価格変動情報を生成して記憶する参考セット価格変動情報生成処理と、を実行するものであり、前記情報処理部は、前記オークション取引の主催者である買い手が使用する買い手端末から、当該オークション取引の商品に関する前記参考セット価格変動情報の提供を求める参考セット価格変動情報要求を受信すると、当該参考セット価格変動情報を、前記買い手端末に送信する参考セット価格変動情報提供処理を実行する。
【００１４】
前記登録設置保存情報は、さらに、前記情報有効日時と当該登録設置保存情報の生成に用いられた前記登録設置商品情報に含まれる可能設置日時との差分期間の情報を含み、前記参考セット価格保存情報は、当該参考セット価格として最低セット価格情報を記憶している場合、当該最低セット価格の生成に用いられた前記登録設置保存情報に含まれる前記差分期間の情報を含み、前記参考セット価格として平均セット価格情報を記憶している場合、当該平均セット価格の生成に用いられた１つ以上の前記登録設置保存情報に含まれる前記差分期間を平均して生成される平均差分期間の情報を含み、前記参考セット価格保存情報要求は、前記差分期間及び／又は前記平均差分期間の情報を要求するものであり、前記参考セット価格保存情報提供処理は、前記参考セット価格保存情報要求を受信すると、前記差分期間及び／又は前記平均差分期間の情報を含む前記参考セット価格変動情報を、前記買い手端末に送信する。
【００１５】
前記記憶部は、オークションシステムで取り扱われる商品の過去及び現在の価格に関する情報を記憶する価格記憶部を備えており、前記情報処理部は、定期的に、各登録設置商品情報に含まれる商品情報および当該商品情報の商品の希望設置価格と、これらの情報が有効であった情報有効日時と、当該情報有効日時と前記登録設置商品情報に含まれる可能設置日時との差分期間の情報とを含む登録設置保存情報を前記価格記憶部に記憶する登録設置保存情報生成処理を実行するものであり、前記情報処理部は、さらに、各オークション取引の対象商品に関する複数の登録設置保存情報を用いて、前記差分期間の時間軸と前記希望設置価格の設置価格軸とで構成される二次元座標に、各登録設置保存情報に含まれる前記差分期間を負の値にした値および前記希望設置価格の値で特定される特定点を反映し、当該複数の特定点が反映された二次元座標情報に基づいて、基準とする設置日に向かう希望設置価格の推移を示す設置日基準希望設置価格変動情報を生成する設置日基準希望設置価格変動情報生成処理を実行するものであり、前記情報処理部は、前記オークション取引を主催する買い手が使用している買い手端末から、オークション取引の対象商品に関する前記設置日基準希望設置価格変動情報の提供を求める設置日基準希望設置価格変動情報要求を受信すると、当該設置日基準希望設置価格変動情報を、前記買い手端末に送信する設置日基準希望設置価格変動情報提供処理を実行する。
【００１６】
前記情報処理部は、さらに、定期的に、各登録販売商品情報に含まれる商品情報および当該商品情報の商品の希望販売価格と、これらの情報が有効であった情報有効日時の情報とを含む登録販売保存情報を前記価格記憶部に記憶する登録販売保存情報生成処理と、前記情報有効日時情報の日付が一致する前記登録販売保存情報及び前記登録設置保存情報を基に算出される希望セット価格と、当該希望セット価格の生成に用いられた前記登録設置保存情報の情報とを含むセット価格保存情報を生成するセット価格保存情報生成処理とを実行するものであり、前記情報処理部は、さらに、各オークション取引の対象商品に関する複数のセット価格保存情報を用いて、前記差分期間の時間軸と前記希望セット価格のセット価格軸とで構成される二次元座標に、各セット価格保存情報に含まれる前記差分期間を負の値にした値および前記希望セット価格の値で特定される特定点を反映し、当該複数の特定点が反映された二次元座標情報に基づいて、設置日を基準とする希望セット価格の推移を示す設置日基準希望セット価格変動情報を生成する設置日基準希望セット価格変動情報生成処理を実行するものであり、前記情報処理部は、前記オークション取引を主催する買い手が使用している買い手端末から、オークション取引の対象商品に関する前記設置日基準希望セット価格変動情報の提供を求める設置日基準希望セット価格変動情報要求を受信すると、当該設置日基準希望セット価格変動情報を、前記買い手端末に送信する設置日基準希望セット価格変動情報提供処理を実行する。
【００１７】
前記記憶部は、設置された前記商品の設置品質を記憶する品質記憶部を備えており、前記情報処理部は、前記設置者端末から受信した設置結果の情報に基づいて、登録商品設置実績情報を生成する商品設置実績情報生成処理を実行するものであり、当該登録商品設置実績情報は、少なくとも、設置者を特定する設置者情報と、設置した商品を特定する商品情報とを含み、前記情報処理部は、前記オークション取引を主催する買い手が使用している買い手端末から、抽出されたセット情報のうちのいずれかのセット情報に含まれる設置者情報の設置者の商品設置実績の開示を求める設置実績開示信号を受信すると、当該セット情報の商品に関する当該設置者の１つ以上の前記登録商品設置実績情報を、前記買い手端末に送信する商品設置実績開示処理を実行する。
【００１８】
前記情報処理部は、前記セット情報抽出処理で抽出された１つ以上のセット情報で構成されたセット情報群のうちから特定される１つ以上の特定セット情報を前記セット情報群から除外することについて、前記オークション取引を主催する買い手が使用している買い手端末から除外信号を受信すると、前記特定セット情報を前記セット情報群から除外する除外処理を実行する。
【発明の効果】
【００１９】
本発明に係るオークション支援システムによれば、商品の仕様や購入数量以外の条件が付帯された購入希望又は販売希望を扱うオークション等の電子商取引を行うことができる。
【図面の簡単な説明】
【００２０】
【図１】システム全体を説明するためのブロック図である。
【図２】本システムに対するログイン、ログアウトの処理の流れを示すフローチャート図である。
【図３】本システムで表示されるフロント画面に含まれるフロントメニューを示す図である。
【図４】（Ａ)は、本システムで表示される希望購入条件入力（変更）画面を示す図であり、（Ｂ)は、本システムで表示される希望販売条件入力（変更）画面を示す図であり、（Ｃ)は、本システムで表示される希望設置条件入力（変更）画面を示す図であり、（Ｄ）は、本システムで表示される登録オークション取引情報画面を示す図である。
【図５】オークション取引における処理の流れを示すフローチャート図である。
【図６】図５に示されるオークション取引主催者（買い手）の要求の具体例と、当該要求に対応する情報処理部の処理の内容を示すフローチャート図の一部である。
【図７】オークション取引の成立後の流れを示すフローチャート図である。
【図８】記憶部の各領域に記憶される情報の一例を具体的に示す説明図である。
【図９】平均セット価格変動情報のグラフを示す図である。
【図１０】最低セット価格変動情報のグラフを示す図である。
【図１１】設置日基準希望設置価格変動情報のグラフを示す図である。
【図１２】設置日基準希望セット価格変動情報のグラフを示す図である。
【符号の説明】
【００２１】
１…オークション処理装置(サーバ、オークション処理手段),
10…情報処理部、20…記憶部、21…メイン記憶部、22…管理情報記憶部、
23…価格情報記憶部、24…品質記憶部、
BU,BU1,BU2,BU3…買い手（バイヤー）
SA,SA1,SA2,SA3…売り手（ベンダー、サプライヤー）
IN,IN1、IN2、IN3…設置者（インストーラ）
Net…通信ネットワーク。
【発明を実施するための形態】
【００２２】
次に、本発明に係る取引支援システムについて図面を用いて詳細に説明する。
本システムは、購入後に設置が必要な商品に関するオークション取引等の取引（特に、販売及び設置）の支援を行うシステム（以下、単にシステムと称する）である。購入後に設置が必要な製品全般の販売及び設置に関して使用可能なシステムであるが、例えば、設置工事が必要な電気機器であれば、エコキュート（ヒートポンプ給湯機）などの給湯器、いわゆるIH調理器などの電磁調理器が組み込まれたシステムキッチン、エアコンなどの据え付け型の空調機器などを挙げることができる。
【００２３】
図１に示されるように、本実施形態のシステムは、オークション取引の対象の商品等の購入を希望する買い手（バイヤー）BU1、BU2、BU3…が使用する買い手端末（バイヤー端末）と、商品等の売り手（ベンダー、サプライヤー）SA1、SA2、SA3…が使用する売り手端末と、商品等の設置者（インストーラ）IN1、IN2、IN3…が使用する設置者端末と、これらの端末がインターネット等の通信ネットワークNetを介して通信可能な状態に接続されたオークション処理装置１（以下、単に処理装置と称することがある。サーバ、電子商取引処理装置又はオークション処理手段）とを含む。
【００２４】
商品の購入希望者は、後述の新規登録（図２、S2参照）を完了すると、自己の端末を本システムに接続することができ、接続された自己の端末（買い手端末）を使用して、買い手BUになることができる。
売り手SA及び設置者INを希望する者も同様に、後述の新規登録を完了すると、自己の端末を本システムに接続することができ、接続された売り手端末あるいは設置者端末を使用して、本システムの売り手SAや設置者INになることができる。
【００２５】
買い手端末、売り手端末及び設置者端末は、いずれも、ＣＰＵ等の演算部と、キーボード等の入力手段と、ディスプレイ等の情報認識手段とを備えた情報処理端末である。各端末としては、入力手段と情報表示手段を兼ね備えたタッチパネル等のインターフェースを用いるものでも良い。また、情報認識手段は、音声で情報を伝達する情報認識装置でも良い。
これらの端末として使用されるものとしては、例えば、周知のコンピュータ、タブレット端末、スマートホンなどを挙げることができる。
なお、買い手BU、売り手SA又は設置者INは、端末の表示に基づいて情報の入力や情報の選択を行うことができ、入力又は選択した情報を情報処理部に送信することができる。情報処理部は、受信した情報に基づいて後述するような種々の処理を行う。
端末における入力又は選択に関する端末操作については周知の操作であるので説明を省略することがある。
【００２６】
処理装置（オークション処理装置）としては、周知のコンピューティング技術を利用したコンピュータ（サーバ）が用いられている。本処理装置には、本システムを運用するためのプログラム（アプリケーション）がインストールされており、このプログラムに基づいて本システムは運用される。
なお、システム接続時のセキュリティに関する処理（例えば、接続時のパスワード等による接続者の認識や情報通信時の暗号化などに関する処理）など、通信ネットワークを使用するシステムやプログラムにおいて広く行われている周知の処理については説明を省略することがある。
通信ネットワークとしては、インターネットの他、イントラネット、ＬＡＮ（ローカルエリアネットワーク）、ＶＰＮ（仮想プライベートネットワーク）など、種々のネットワークを利用可能である。
【００２７】
処理装置１は、図１に示されるように、ＣＰＵ等の情報処理部10と、各種の情報が記憶される記憶部20とを備えている。そして、記憶部20は、最新情報を記憶するメイン記憶部21と、オークション取引の管理に用いられる情報を記憶する管理情報記憶部22と、本システムで取り扱われる商品に関する過去の価格情報など、価格の情報が蓄積される価格情報記憶部23と、本システムにおいて取引が成立して販売及び設置された商品の品質の情報やその商品の設置に関する品質（以下、設置品質）の情報を記憶する品質記憶部24とを含む。
なお、処理装置１に入力された情報や、処理装置の情報処理部10で生成された情報の記憶先については、単に記憶部20と説明されており、具体的な記憶崎を省略していることがある。
【００２８】
情報処理部10は、本システムの運用において必要な情報処理を行うものであり、例えば、本システムと端末との接続（ログイン）、取引（オークション取引）システムの提供及び切断（ログアウト）の処理（図２参照）を行う。提供される取引システムでは、例えば、後述の登録情報の生成及び更新の処理、後述の登録オークション取引情報に関する登録情報の生成又は更新の処理、登録オークション取引情報の生成又は更新の通知の処理、価格の変動に関する情報の生成に用いられる後述の価格保存情報を生成及び記憶する処理などを行う（図４（D)、図５参照）。
【００２９】
情報処理部10は、通信ネットワークNetを介して上述の端末が本システムにアクセスしたことを認識すると（図２のＳ１（ステップ１）参照）、その端末にログイン画面情報（エントリー画面情報）を送信する。この情報を受信した端末にはログイン画面（不図示）が表示され、接続者は本システムへの接続（ログイン）が可能になる（図２参照）。
ログイン画面では、既登録者は、登録時に付された固有の識別番号であるＩＤ（買い手ＩＤ、売り手ＩＤ及び設置者ＩＤなどの登録者ＩＤ）やパスワードを入力可能である。そして入力したＩＤ等が情報処理部10に送信されると、情報処理部10は、受信したＩＤやパスワード等の入力情報を基に、接続許可するか否か判断し、許可する場合は、後述のフロント画面情報を端末に送信する（図２のＳ２参照）。この情報を受信した端末は、フロント画面（不図示）を表示する。
フロント画面には、後述のフロントメニュー（図３参照）が含まれており、本システムが提供される。つまり、接続した者は、フロントメニューから所望の画面を選択して表示可能であり、このような操作によって本システムを利用可能である（図２のＳ３参照）。
なお、端末ディスプレイに所定の画面を表示させる情報処理部での処理は、周知の処理であるので、以後の説明では、信号の送受信に関する説明を省略することがある。また、各端末における情報の入力や送信に関する操作や端末の動作についても、周知のものであるので、以後の説明では、省略することがある。
【００３０】
なお、端末に表示される各画面には、ログアウトの処理を選択するためのログアウト選択メニューが表示される（図３の「ログアウト」との表示参照）。接続者によって各画面に表示されたログアウトが選択されてその選択情報が送信されると、ログアウト選択情報を受信して認識した情報処理部10は、ログアウト画面情報を端末に送信する（図２のＳ４参照）。これにより、端末にはログアウト画面が表示され、ここで切断が選択されてその情報が送信されると、切断情報を受けた情報処理部10はログアウト処理を実行する（図２のＳ５参照）。これにより、端末と本システムとの接続が切断され、接続した者は、本システムの利用を終了する。
【００３１】
ログイン画面（不図示）では、新規登録画面を選択可能である。
これを選択すると新規登録画面（不図示）が表示される。
新規登録手続では、本システムの利用目的に応じて、買い手BU、売り手SA又は設置者INとして登録できる。
新規登録者は、希望の利用目的に応じて、買い手登録画面、売り手登録画面、設置者登録画面（いずれも不図示）を表示し、必要な情報を入力して登録することができる。
各登録画面では、新規登録者の特定に用いられる特定情報（識別情報または個人情報）を入力して登録可能である。登録が完了すると、自動的にログインが完了し、端末には、後述のフロントメニューを含むフロント画面が表示される。
なお、特定情報とは、例えば、氏名又は名称、住所又は居所、所属先（勤務先）、電話番号等のことであり、一般的な電子商取引システム利用開始時に求められる一般的な情報である。
【００３２】
情報処理部10は、新規登録画面で入力された情報に基づいて、登録者情報（例えば、登録買い手情報、登録売り手情報又は登録設置者情報）を生成する。
生成されたこれらの登録者情報は、メイン記憶部21に記憶される。これらの登録情報には、登録時に入力された氏名又は名称などの入力情報の他に、情報処理部10が生成した登録者ＩＤが含まれる。
つまり、買い手情報には、入力情報の他に買い手ＩＤが含まれ、登録売り手情報には、入力情報の他に売り手ＩＤが含まれ、登録設置者情報には入力情報の他に設置者ＩＤが含まれる。上述したように、本システムでは、これらの登録者ＩＤを使用して本システムにログインする。
なお、上記登録情報については、次に説明するフロント画面に表示されるフロントメニュー（図３参照）から選択して表示可能な登録情報変更画面において変更可能である。
【００３３】
ログインが完了すると、フロントメニュー（図３参照）を含むフロント画面が表示される。
フロントメニューは、各種画面を選択するための画面表示であり、いずれかの画面が選択されると、情報処理部は、選択された画面をその端末に表示する。
【００３４】
フロントメニューのリストには、図３に示されるように、表示可能な画面名の一覧が表示されており、所望の画面名称を接続端末操作によって選択すると、対応する画面がその端末に表示される。
【００３５】
買い手向けのフロントメニューのリストには、本人の情報を入力する登録情報変更画面（買い手本人）、希望購入条件入力（変更）画面が含まれている。
登録情報変更画面（買い手本人）には、買い手本人に関する登録情報が表示される（不図示）。この画面には、新規登録画面で登録された情報（更新があった場合は更新後の情報）及び登録時に生成された登録者ＩＤ等の情報が表示される。
これについては、登録情報変更画面（売り手本人）及び登録情報変更画面（設置者本人）についても同様である。
【００３６】
希望購入条件入力（変更）画面（図４（Ａ）参照）は、後述するように、買い手がオークション取引（取引コード番号A1、A2、A3…で特定可能、図８参照）を開始するときや、オークション取引A1…の条件を変更するときに用いられる。
希望購入条件入力（変更）画面を表示する場合は、まず、新規登録であるか既登録情報の条件の変更（更新）であるかを選択できる。既登録情報の条件の変更（更新）の場合、後述のオークション取引コードA1…を選択すると、既登録情報を含む希望購入条件入力（変更）画面が表示される。新規登録の場合は、情報が未登録（事前登録された情報を含む場合はある）の希望購入条件入力（変更）画面が表示される。
希望購入条件入力（変更）画面では、例えば、購入を希望する商品名（HW1などの型番等、図４（D)参照）、希望設置台数、希望設置日時、オークション期日など、希望購入条件に関する情報を入力して登録可能である。
希望商品については１つ以上（１つ又は複数）を選択して登録可能であり、希望設置日時については１つ以上（１つ又は複数）を選択して登録可能である。
したがって、例えば、希望商品が２つ登録され、希望設置日時が２つ登録されると、希望商品と希望設置日時の組合せが４通りになる。この場合、情報処理部は、後述のセット情報抽出処理において、１つのオークション取引について、４通りの組み合わせのいずれかに適合するセット情報を抽出する。
【００３７】
本システムでは、本システムで取り扱っている商品の一覧（型番の一覧）から一つ以上（例えば型番HW1の商品）を選択する方法であるが、これ以外にも種々の方法を採用することができる。また、希望する性能や仕様を基に、適合する商品一覧を検索して表示できることが好ましい。
希望設置日時については、希望設置日及び設置開始時刻（毎正時）を指定可能である。希望設置時刻の指定については、種々の方法を採用することができる。例えば、取引対象の商品の標準的な設置時間を考慮して、午前、午後、夕方といった時間帯の選択及び指定をする方法を挙げることができる。
オークション期日については、日付だけでなく時分も指定可能である。
【００３８】
なお、希望購入条件としては、さらに上記の情報以外に、例えば、希望する購入設置費用の総額（セット価格）の価格帯（上限総額及び下限総額）が含まれていても良い。
また、後述のように、最初の登録時に後述の取引コード（オークション取引コード番号、A1など）が生成されており、登録後の画面にはその取引コードが表示される（図４（Ａ）、（D)参照）。
【００３９】
売り手向けのフロントメニューのリストには、本人の情報を入力する登録情報変更画面（売り手本人用）、希望販売条件入力（変更）画面が含まれている。
登録情報変更画面（売り手本人用）には、売り手本人に関する登録情報が表示される（不図示）。
【００４０】
希望販売条件入力（変更）画面（図４（Ｂ）参照）は、後述するように、売り手SAが販売を希望する商品の希望販売条件を登録するときや、その条件を変更するときに用いられる。
希望販売条件入力（変更）画面を表示する場合は、まず、新規登録であるか既登録情報の条件の変更（更新）であるかを選択できる。既登録情報の条件の変更（更新）の場合、後述の販売商品登録番号を選択すると、既登録情報を含む希望販売条件入力（変更）画面が表示される。新規登録の場合は、情報が未登録（事前登録された情報を含む場合はある）の希望販売条件入力（変更）画面が表示される。
希望販売条件入力（変更）画面では、例えば、販売可能な商品名（型番等）、販売可能台数、希望販売価格、最速納品可能日時、後述する事前登録の選択等、希望販売条件に関する情報を入力して登録可能である。
なお、後述のように、各商品情報に関する最初の登録時に販売商品登録番号RS1、RS2、RS3…（図８参照）が生成され、登録者である売り手SAの情報が含まれる。また、登録後に表示される希望販売条件入力（変更）には販売商品登録番号RSも表示される。
【００４１】
設置者向けのフロントメニューのリストには、本人の情報を入力する登録情報変更画面（設置者本人用）、希望設置条件入力（変更）画面が含まれている。
登録情報変更画面（設置者本人用）には、設置者本人に関する登録情報が表示される（不図示）。
希望設置条件入力（変更）画面（図４ （Ｃ）参照）は、後述するように、設置者INが設置を希望する商品の希望設置条件を登録するときや、その条件を変更するときに用いられる。
希望設置条件入力（変更）画面を表示する場合の操作については、希望販売条件入力（変更）画面を表示する場合と同様であるので、ここでは説明を省略する。
希望設置条件入力（変更）画面では、例えば、設置可能な商品名、希望設置手数料、後述する事前登録の選択等、希望設置条件に関する情報を入力して登録可能である。
なお、後述のように、最初の登録時に設置商品登録番号RI1、RI2、RI3…（図８参照）が生成され、登録者である設置者INの情報が含まれる。また、登録後に表示される希望設置条件入力（変更）画面には設置商品登録番号RIも表示される。
【００４２】
ところで、設置者INは、売り手SAから商品が納品された後、その商品を設置するので、買い手BUの希望設置日時よりも数時間又は数日前にその商品を入手しておく必要がある。
したがって、希望設置条件入力（変更）画面において、希望商品受領最終日時を入力可能にしてもよい。希望商品受領最終日時とは、その商品を希望設置日時に設置する前提として、売り手SAから商品を入手する設置者INの希望の商品入手期限である。なお、ここでは、希望商品受領最終日時から希望設置日時までの期間のことを最短設置準備期間と称する。
設置者INによって最短準備設置期間に差がある場合、希望商品受領最終日時が入力可能であることが好ましい。また、希望商品受領最終日時と最短設置準備期間のうちの少なくともいずれか一方が入力可能であっても良い。
最短設置準備期間が設定される場合、情報処理部は、後述のセット情報生成（更新）ステップ（図５参照）においては、希望設置日時から最短準備期間を差し引いた日時を、希望商品受領最終日時として用い、セット情報生成（更新）ステップを実行し、希望商品受領最終日時として表示する。
他方、設置者INによって最短準備設置期間に差がない場合、希望商品受領最終日時を入力できないシステムでもよい。希望設置条件入力（変更）画面で、希望商品受領最終日時を入力できないシステムの場合、情報処理部は、安全を見越して定めた標準設置準備期間を用いて自動的に希望商品受領最終日時に相当する日時情報を算定し、後述のセット情報抽出処理を行う。
【００４３】
買い手BU、売り手SA及び設置者INは、上述の画面を用いて登録した情報については、その画面を用いて、登録情報の内容を、随時、変更可能である（情報処理部が生成したＩＤや原則変更することが適当でない名前などの情報を除く）。
【００４４】
情報処理部10は、新規登録画面や上述した各画面で入力された情報を受信すると、受信した情報に基づいて登録情報を生成（又は更新）し、生成（又は更新）後の登録情報を最新の登録情報としてメイン記憶部21に記憶する。つまり、メイン記憶部21では、更新前の登録情報の上に最新の登録情報が上書きされて記憶される。
なお、更新前の情報は、価格情報記憶部23に過去の情報として記憶される。本システムでは、登録情報の変遷や変更の経緯などを表示できるように、各種登録情報について更新前の情報を過去情報として記憶する。
【００４５】
また、図３に示されるように、フロントメニューのリストには、全ての登録者（買い手BU1,BU2,BU3…、売り手SA1,SA2,SA3…及び設置者IN1,IN2,IN3…）が利用可能な画面として、次の画面名が含まれる。
具体的には、「登録者情報一覧」画面、「取引中のオークション取引（取引コード番号）一覧」画面、「登録商品一覧」画面、「落札情報一覧」画面である。
【００４６】
登録者情報一覧画面では、登録情報変更画面に表示される情報のうち、公開に適した情報を表示する。なお、買い手情報については公開しないことが考えられる。
【００４７】
登録商品一覧画面には、登録された商品名（HW1などの型番）及び商品名（通称）などの一覧が表示される。
登録商品一覧に表示された商品名を選択すると、対応する商品の詳細を表示する詳細画面が表示される。詳細画面では、例えば、その商品を扱っている売り手SA及び設置者INの一覧、各売り手SAの希望販売価格情報、各売り手SAの販売実績、各設置者INの希望設置手数料情報、各設置者INの設置実績、希望販売価格と希望設置手数料を合計した費用の総額（希望販売設置費用総額）である希望セット価格の情報などの価格情報や、設置所要時間などの設置の施工に関する情報などが表示可能である。
【００４８】
取引中のオークション取引一覧画面には、各オークション取引の取引コードA1,A2,A3…や取引内容の一部（例えば、取引対象の商品名等の概要）が表示される。
取引一覧画面に表示された取引コードA1,A2,A3…を選択すると、各取引の詳細を表示する詳細画面が表示される。
【００４９】
落札情報一覧画面には、既に取引が終了した（落札された）オークション取引AZ1,AZ2,AZ3…の一覧が表示される。一覧画面に表示された取引終了済みのオークション取引（取引コード）AZ1,AZ2,AZ3…を選択すると、その取引の詳細を表示する詳細画面が表示される。
【００５０】
なお、端末に表示される画面（フロント画面以外））には、フロント画面に戻るための選択メニュー（例えば図４（A)の「フロント画面」との表示参照）が表示されており、必要に応じて容易に、フロント画面を表示可能である（図３参照）。
また、本実施形態のシステムでは、フロント画面は、買い手BU、売り手SA、設置者INに共通の画面であるが、例えばログインした者が買い手である場合、買い手端末において選択して表示可能な画面は、買い手向けの登録情報変更画面だけである。
【００５１】
次に、本システムの動作を説明する。
本システムに登録されてＩＤを取得した買い手BU、売り手SA及び設置者INは、上述したログイン操作を経て、端末をシステムに接続した状態で本システムを利用することができる。
【００５２】
まず、買い手端末との間における本システムの動作について説明する。
【００５３】
ここで説明するシステムは、いわゆる逆オークション取引を支援するシステムであり、買い手BUが入力した希望購入条件に基づいて、オークション取引を生成して登録する（オークション取引登録ステップ、図５参照）。
オークション取引の生成及び登録は、買い手BUが、希望購入条件入力（変更）画面（図４（Ａ）参照）において、購入を希望する商品に関する希望購入条件（注文商品情報とも称することができる）を入力し、入力情報が情報処理部に送信されると実行される。
【００５４】
情報処理部10は、受信した希望購入条件の情報に基づいて、固有の登録購入番号（オークション取引コード番号として用いられる）A1,A2,A3…が付された登録購入情報を生成する。登録購入情報はメイン記憶部21に記憶される。
登録購入情報は、例えば、取引コード、買い手ＩＤ、商品ＩＤ（例えば、商品の型番などの商品固有の情報）、希望購入数量、希望設置日時、オークション期日（落札日）などの情報を含む。
【００５５】
情報処理部10は、登録購入情報を生成すると同時に、登録購入情報を用いて登録オークション取引情報を生成し、登録オークション取引情報に基づくオークション取引（以下、単に取引と称することがある）A1,A2,A3…を登録し、これらの登録情報を管理情報記憶部22に記憶する。
登録オークション取引情報は、当該オークション取引に固有のオークション取引コード番号（以下、取引コードと称することがある）A1,A2,A3…、オークション取引の主催者である買い手（以下、単に主催者と称することがある）の主催者ＩＤ（例えばBU1）、対応する登録購入情報を含む。主催者ＩＤは、生成した登録購入情報に含まれている買い手ＩＤと同一である。
なお、登録オークション取引情報には、上記の情報以外の登録情報として、さらに、例えば、登録オークション取引情報生成日時が含まれていても良い。
【００５６】
この登録オークション取引情報が生成されて記憶されると、オークション取引が開始される（オークション取引開始ステップ、図５参照）。
開始されたオークション取引における情報処理部10の処理については、後述する。
【００５７】
各取引は、取引コードA1,A2,A3…によって識別可能であり、複数の取引を同時に進めることができる。また、各買い手BUは、取引条件が異なる複数の取引について、オークション主催者になることができる。
【００５８】
次に、売り手端末との間における本システムの動作について説明する。
【００５９】
売り手SAは、取引中のオークション取引の有無にかかわらず、販売を希望する商品及び希望販売条件を本システムに登録することができる。
【００６０】
販売希望商品の登録では、売り手SAは、希望販売条件入力（変更）画面（図４（Ｂ）参照）において、販売を希望する商品の希望販売条件（希望販売商品情報、販売商品情報）を入力し、入力情報を情報処理部10に送信することができる。
情報処理部10は、受信した希望販売条件に基づいて、固有の販売商品登録番号RS1,RS2,RS3…が付された登録販売商品（以下、単に登録販売商品）の登録販売商品情報を生成する。登録販売商品情報は、メイン記憶部21に記憶される。
登録販売商品情報は、例えば、売り手ＩＤ、販売商品登録番号RS、販売可能な商品名（型番など）、販売可能な数量、納品可能な日時、取引への参加の登録の選択、後述の事前参加登録に関する情報を含む。
売り手はSA、複数の希望販売条件を登録することができる。例えば、販売可能な商品が複数存在する場合や、同一の商品について、希望販売価格や納品可能日時などの条件が異なる場合などに対応できる。
生成された複数の登録販売商品情報は、販売商品登録番号RS1,RS2,RS3…によって管理できる。
【００６１】
売り手SAは、各登録販売商品の商品について、希望販売条件入力（変更）画面において、各オークション取引に参加するか否か選択可能である。
希望販売条件入力（変更）画面では、参加可能な（オークション取引中の）オークション取引（A1,A2,A3…）一覧を選択可能である。これを選択すると取引一覧画面が表示され、参加を希望するオークション取引を選択して情報処理部10に送信する。ここでは、１つ又は複数の取引を選択可能である。つまり、売り手SAは自ら登録した各販売商品登録番号RS1,RS2,RS3…の登録販売商品ごとに、参加する取引を選択可能である。
【００６２】
また、売り手SAは、各オークション取引への参加（応札）について、参加については事前登録の選択が可能である。
事前登録によって参加が選択された登録販売商品は、その後にオークション取引が開始されたとき、取引開始時に、自動的にそのオークション取引に参加する。
自動的に参加したことについては、参加者に対して通知される後述のオークション取引情報更新通知(図５参照）を受け取ることで通知される。
【００６３】
また、売り手SAは、自己の全ての登録販売商品の参加について同一の選択をする場合は、一括して事前登録するか否か選択することが可能である。
参加（するか否か）について一括して事前登録する場合、一括事前登録の種類としては、一括事前登録の時点で既に登録されている登録販売商品のみを対象とする通常一括事前登録と、一括事前登録以後に登録される登録販売商品も一括事前登録の対象とする自動一括事前登録とがある。
一括事前登録が選択が行われている場合であって、一括事前登録での選択の内容と個別の選択の内容とが矛盾している場合、どのような選択を優先させるかについて設定可能である。
【００６４】
なお、オークション取引A1,A2,A3…への参加に関する操作や情報処理部10における処理は、売り手（登録販売商品）の参加の選択と、設置者（次に説明する登録設置商品）の参加の選択とで共通しているので、次の設置者に関する説明においては、その説明を省略する。
【００６５】
次に、設置者端末との間における本システムの動作について説明する。
【００６６】
設置者INは、取引中のオークション取引の有無にかかわらず、設置を希望する商品及び希望設置条件を本システムに登録することができる。
【００６７】
設置希望商品の登録では、設置者INは、希望設置条件入力（変更）画面（図４（Ｃ）参照）において、設置を希望する商品の希望設置条件（希望設置商品情報、設置商品情報）を入力し、入力情報を情報処理部10に送信することができる。
情報処理部10は、受信した希望設置条件に基づいて、固有の設置商品登録番号RI1,RI2,RI3…が付された登録設置商品（以下、単に登録設置商品）の登録設置商品情報を生成する。登録設置商品情報は、メイン記憶部21に記憶される。
登録設置商品情報は、例えば、設置者ＩＤ、設置商品登録番号RI、設置可能な商品ＩＤ、設置可能な数量、設置可能日時（例えば、設置完了可能日の情報）、取引への参加の登録の選択、後述の事前参加登録に関する許否情報を含む。
設置者INは、複数の希望設置条件を登録することができる。例えば、設置可能な商品が複数存在する場合や、同一の商品であっても希望設置価格が異なる場合などに対応できる。
生成された複数の登録設置商品情報は、設置商品登録番号RI1,RI2,RI3…によって管理できる。
【００６８】
ところで、本システムでは、後述のオークション取引A1,A2,A3…において、登録販売商品の登録販売商品情報と登録設置商品の登録設置商品情報とを組み合わせて構成されるセット情報(販売設置セット情報）を用いる。
【００６９】
セット情報は、登録販売商品情報と登録設置商品情報とが組み合わされて構成された情報であり、商品の型番などの商品情報、希望販売価格、最大販売可能台数、納品可能日時、希望設置手数料金額、費用総額（希望）、設置可能日時など、登録販売商品情報及び登録設置商品情報に含まれている情報を含み、さらに、希望販売価格と希望設置価格を合計した希望セット価格を含む。
【００７０】
セット情報は、次に説明するセット情報生成（更新）処理によって生成（更新）される。
情報処理部10は、セット情報生成処理において、登録販売商品情報及び登録設置商品情報を探索して、組み合わせの可能性（紐づけ可能性）を判断し、組合せ可能な全ての組合せについて販売設置セット情報（以下、単にセット情報と称する）を生成する。生成されたセット情報はメイン記憶部21に記憶される。
セット情報生成（更新）処理は、同時期に生成された登録販売商品情報と登録設置商品情報を対象として、組み合わせを生成する。同時期とは、例えば、セット情報生成（更新）処理が一日一回の場合、その日の一回のセット情報生成（更新）処理で生成された登録販売商品情報と登録設置商品情報を対象とを対象とするということである。
組合せの判断基準としては、例えば、同時期に生成された登録販売商品情報及び登録設置商品情報に記憶されている対象商品が一致しているか否か（又は共通しているか否か）を挙げることができる。さらに追加の判断基準として、納品可能日時が設置可能日時の以前であるか否かを挙げることができ、希望商品受領最終日時が登録されている場合であれば、納品可能日時が希望商品受領最終日時の以前であるか否か、を挙げることができる。
【００７１】
また、後述するように、情報処理部10は、定期的に、オークション取引登録ステップ（図５参照）で登録された登録オークション取引情報の更新を実行する（オークション取引情報更新ステップ）。
情報処理部10は、このオークション取引情報更新ステップにおいて、セット情報生成（更新）処理を実行する。
上述したように、登録販売商品情報及び登録設置商品情報は、随時、追加及び変更が可能であるので、オークション取引情報更新ステップやセット情報生成（更新）処理など、更新ステップや更新処理は、定期的に実行されることが好ましく、頻繁に実行されることが好ましい。
定期的とは、例えば、毎正時毎や毎日一回である。毎日一回の場合は、例えば午後１１時などの一定の時刻に定期的に実行することがより好ましい。また、随時実行すれば、常に最新情報に基づいてシステムを運用することができ、より好ましい。
情報処理部10は、登録販売商品情報及び登録設置商品情報が更新されている場合、更新された最新の情報に対してセット情報生成（更新）処理を実行する。したがって、メイン記憶部21には、最新のセット情報が記憶されている。なお、更新前の情報は、価格情報記憶部23に格納され、必要に応じて表示可能である。
【００７２】
セット情報のうち、オークション取引開始の時点で自動的に利用されるセット情報は、その時点で参加登録が選択されている情報（例えば、事前参加登録が選択されている情報や希望販売条件入力（変更）画面や希望設置条件入力（変更）画面で参加登録の選択がなされた情報）のみで構成されたセット情報である。
【００７３】
なお、セット情報生成（更新）処理で生成されたセット情報については、一覧表示可能にしても良い。例えば、フロントメニューに、セット情報一覧というメニュー項目を表示して選択可能として、選択により表示可能にすることが考えられる。
【００７４】
前記情報処理部10は、次に説明する登録販売保存情報生成処理、登録設置保存情報生成処理、セット価格保存情報生成処理を定期的に実行する（図５参照）。これらの保存情報生成処理で生成された各種の保存情報は、価格記憶部23に記憶される。
本実施例では、上述したセット情報生成（更新）処理と同時に行う（図５参照）。なお、これらの処理を行う頻度は、上述したセット情報生成処理と同じでも良いし、セット情報生成処理よりも低い頻度でも良い。
【００７５】
登録販売保存情報生成処理は、この処理を実行する時点で有効な情報（例えばメイン記憶部21に記憶されている情報）である販売商品登録番号RSが付された登録販売商品情報に含まれる商品情報と、当該商品情報の商品の希望販売価格と、これらの情報が有効であった情報有効日時（ここでは当該処理を実行した日時）の情報とを含む登録販売保存情報RSs1,RSs2,RSs3…（図８参照）を前記価格記憶部23に記憶する処理である。
情報処理部10は、この処理を、当該処理を実行する時点で有効な全ての登録販売商品情報について実行する。
【００７６】
登録設置保存情報生成処理は、処理を実行する時点で有効な情報である設置商品登録番号RIが付された登録設置商品情報に含まれる商品情報と、当該商品情報の商品の希望設置価格と、これらの情報が有効であった情報有効日時の情報とを含む登録設置保存情報RIs1,RIs2,RIs3…（図８参照）を前記価格記憶部23に記憶する処理である。
情報処理部10は、この処理を、当該処理を実行する時点で有効な全ての登録設置商品情報について実行する。
【００７７】
セット価格保存情報生成処理は、生成された登録販売保存情報RSs1,RSs2,RSs3…及び登録設置保存情報RIs1,RIs2,RIs3…を探索して、組み合わせの可能性を判断し、組合せ可能な全ての組合せについて、セット価格保存情報SEs1,SEs2,SEs3…（図８参照）を生成して記憶する処理である。
セット価格保存情報SEs1,SEs2,SEs3…としては、登録販売保存情報RSs1,RSs2,RSs3…及び登録設置保存情報RIs1,RIs2,RIs3…に含まれている情報の他に、希望セット価格（希望販売価格と希望設置価格の合計）と、セット価格保存情報生成処理を実行した日時（情報有効日時）の情報を含む。
【００７８】
セット価格保存情報生成処理は、同時期に生成された（情報有効日時情報の日付が一致する）登録販売保存情報RSs1,RSs2,RSs3…及び登録設置保存情報RIs1,RIs2,RIs3…を対象として実行される。
組合せの判断基準としては、例えば、登録販売商品情報及び登録設置商品情報に記憶されている対象商品が一致しているか否を挙げることができる。また、セット情報生成（更新）処理と同様に、納品可能日時が設置可能日時の以前であるか否かという基準や、希望商品受領最終日時が登録されている場合、納品可能日時が希望商品受領最終日時の以前であるか否かという基準を、判断基準にしてもよい。
本実施例では、セット価格保存情報生成処理の判断基準は、セット情報生成（更新）処理と同様であるので、セット情報生成（更新）処理を、セット価格保存情報生成処理の一部として利用している。
【００７９】
情報処理部10は、生成されたセット価格保存情報SEs1,SEs2,SEs3…に基づいて、各商品ごとに、平均セット価格保存情報および最低セット価格保存情報（参考セット価格保存情報）を生成して価格記憶部23に記憶する処理（参考セット価格保存情報生成処理）を実行する（図５参照）。
平均セット価格保存情報生成処理で生成される平均セット価格保存情報は、平均価格の算出に用いられたセット価格保存情報SEs1,SEs2,SEs3…に含まれる商品情報と、算出された平均セット価格と、処理を実行した日時の情報とを含む。
最低セット価格保存情報生成処理で生成される最低セット価格保存情報は、平均価格の算出に用いられたセット価格保存情報SEs1,SEs2,SEs3…に含まれる商品情報と、当該保存情報に含まれるセット価格のうち最低の価格である最低セット価格と、処理を実行した日時の情報とを含む。
【００８０】
これらの処理が定期的に行われることで、各時点における各商品の希望販売価格、希望設置価格、希望セット価格、平均セット価格、最低セット価格に関する情報が保存されて蓄積される。蓄積された情報は、これらの価格に関する過去の価格変動情報を生成する際に用いられる。
【００８１】
情報処理部10は、平均セット価格保存情報を用いて、平均セット価格の過去から現在への推移を示す平均セット価格変動情報を生成し、最低セット価格保存情報を用いて、最低セット価格の過去から現在への推移を示す最低セット価格変動情報を生成する（平均セット価格変動情報生成処理、最低セット価格変動情報生成処理）。
生成された各種の変動情報は価格記憶部23に記憶される。
【００８２】
平均セット価格変動情報とは、例えば、平均セット価格保存情報を生成した日時の情報と、平均セット価格の情報を並記したリスト（不図示）や、当該リストの情報を時間軸（横軸）と価格軸（縦軸）の二次元座標にプロットして表示したグラフ（例えば図９参照）などを挙げることができる。平均セット価格の生成を頻繁に行うなど二次元座標にプロットするデータを増やすことで、より多くのデータに基づくグラフを作成することができる。最低セット価格変動情報も同様である。
【００８３】
平均セット価格変動情報生成処理や最低セット価格変動情報生成処理を実行する時期は、上述した平均セット価格保存情報生成処理や最低セット価格保存情報生成処理と同時であっても良いし、オークション主催者である買い手から、後述の参考セット価格変動情報要求（平均セット価格変動情報要求又は最低セット価格変動情報要求、図５参照）を受信したときでもよい。また、生成された情報は必要に応じて記憶すればよい。
【００８４】
なお、平均セット価格保存情報（参考セット価格情報）は、平均セット価格の生成に用いられた１つ以上の登録設置保存情報RIs1,RIs2,RIs3…に含まれる差分期間を平均して生成される平均差分期間の情報を含むことが好ましく、最低セット価格保存情報（参考セット価格保存情報）は、最低セット価格の生成に用いられた登録設置保存情報RIs1,RIs2,RIs3…に含まれる前記差分期間の情報を含むことが好ましい。
【００８５】
また、上述した登録設置保存情報RIs1,RIs2,RIs3…は、当該保存情報に含まれる情報生成日時（情報有効日時）と、当該保存情報の生成に用いられた登録設置商品情報に含まれる可能設置日時との差分期間の情報を含むことが好ましい。
つまり、登録設置保存情報生成処理は、当該情報の生成日時（情報有効日時）と、当該保存情報の生成に用いられた登録設置商品情報に含まれる可能設置日時との差分期間の情報を生成する処理であることが好ましい。
【００８６】
そして、情報処理部は、各オークション取引の対象商品に関する複数の登録設置保存情報を用いて、設置日基準希望設置価格変動情報生成処理を実行するものが好ましい。
設置日基準希望設置価格変動情報としては、例えば、上述の差分期間の時間軸（横軸）と、希望設置価格の設置価格軸（縦軸）とで構成される二次元座標に、各登録設置保存情報に含まれる差分期間を負の値にした値および希望設置価格の値で特定される特定点をプロット（反映）し、当該複数の特定点がプロットされた二次元座標情報に基づいて、基準とする設置日に向かう希望設置価格の推移を示すグラフを挙げることができる（図１１参照）。グラフとしては、プロットされた複数の特定点に基づいて作成される希望設置価格変動曲線（近似曲線）を挙げることができる。
【００８７】
情報処理部は、さらに、各オークション取引の対象商品に関する複数のセット価格保存情報を用いて、設置日基準希望セット価格変動情報生成処理を実行するものが好ましい。
設置日基準希望セット価格変動情報としては、例えば、差分期間の時間軸と希望セット価格のセット価格軸とで構成される二次元座標に、各セット価格保存情報に含まれる差分期間を負の値にした値および前記希望セット価格の値で特定される特定点を反映し、当該複数の特定点が反映された二次元座標情報に基づいて、設置日を共通の基準とする希望セット価格の推移を示すグラフを挙げることができる。
【００８８】
また、情報処理部は、設置者端末から受信した後述の設置結果報告の情報に基づいて、登録商品設置実績情報を生成する処理（商品設置実績情報生成処理）を実行する。登録商品設置実績情報は、少なくとも、設置者を特定する設置者情報と、設置した商品を特定する商品情報と、設置品質を示す情報を含む。設置品質を示す情報としては、例えば、設置現場を示す写真情報を挙げることができる。
【００８９】
次に、オークション取引におけるシステムの動作について説明する。
オークション取引登録ステップ（図５参照）が完了すると、オークション取引開始ステップが実行され、オークション取引が開始する。
ここでは、オークション取引き開始ステップから説明する。
【００９０】
情報処理部は、オークション取引開始ステップにおいて、新規取引の開始を全ての売り手及び設置者に通知する（取引開始通知処理）。
これにより、売り手や設置者に対して、新規取引の開始が確実に通知される。
なお、この取引開始通知は、後述の最初のオークション取引情報更新通知（最初のセット情報更新通知）と同時でも良い。つまり、取引開始通知と次に説明するセット情報抽出処理及びセット情報登録処理の順番は限定しない。
【００９１】
また、情報処理部は、オークション取引が開始すると、オークション取引の希望購入条件に基づいて、記憶されている最新のセット情報を探索し、希望購入条件に合致する（又は適合する）セット情報を抽出する（セット情報抽出処理）。
具体的には、参加登録の選択、商品型番、希望設置台数、希望設置日程（設置日時）、希望納品期限、可能納品日時などについて適合するか否か判断する。
抽出した全てのセット情報は、登録オークション取引情報の一部として登録（記憶）される（セット情報登録処理）。
登録された全てのセット情報のリストは、オークション取引の詳細画面において表示可能である。詳細画面では、所定の順番（例えば、合計費用を降順や昇順の順番）で並べたリストを表示可能である。
【００９２】
情報処理部は、抽出したセット情報を登録オークション取引情報の一部として登録すると、オークション取引関係者（オークション主催者、セット情報に含まれる買い手及び設置者）にセット情報の登録について通知する（最初のセット情報更新通知処理）。このセット情報更新通知は、上述した取引開始通知と同時でも良い。また、このセット情報更新通知と同時に、登録された全てのセット情報を通知してもよい。
情報処理部は、登録オークション取引情報の内容に変更があった場合、変更があったことをオークション取引関係者に通知（オークション取引情報更新通知）するようになっており、オークション取引開始時に新規に行われる最初のセット情報更新通知も、情報の内容に変更があった場合であり、最初のオークション取引情報更新通知である。
【００９３】
なお、情報処理部は、主催者（買い手）には、オークション取引開始ステップ（図５参照）において、セット情報抽出処理において希望購入条件に合致しないと判断され、抽出されなかったセット情報のうち、参加登録がなされれば抽出対象になるセット情報を通知することが好ましい（未登録セット情報通知処理）。
この未登録セット情報の通知は、取引成立までの間、定期的に行っても良い。
【００９４】
また、主催者（買い手）には、オークション取引開始ステップ（図５参照）において、抽出された全てのセット情報のうち、販売設置費用総額の金額が最も安いセット情報を通知することが好ましい（最安セット情報通知）。
最安セット情報の通知は、取引成立までの間、定期的に行っても良い。
ここでいう、最安セット情報としては、例えば、条件を全く問わない（無条件）で費用総額が最も安いセット情報、希望購入条件で指定された商品について、それ以外の条件を全く問わない希望商品最安セット情報、希望設置日時以前に設置可能という条件で、それ以外の条件を全く問わない希望設置日時最安セット情報などを挙げることができる。このような種々の最安セット情報のうちの少なくとも１つ以上を提供することができる。
【００９５】
さらに、情報処理部は、主催者（買い手）に、オークション取引開始ステップ（図５参照）において、希望設置日時及び／又はオークション期日の設定に関して、登録設置者が対象商品についてあらかじめ設定している最短設置準備期間に関する情報を通知することが好ましい（最短設置準備期間通知）。
これにより、オークション期日と希望設置日時について、主催者（買い手）に、適当な日時を容易に設定させることができる。
【００９６】
このような情報の通知を受けたオークション主催者である買い手（以下、主催者（買い手）と称することがある）は、これらの通知情報を参照しつつ、希望購入条件入力（変更）画面において、希望購入条件を変更することで、登録オークション取引情報を変更することができる。
【００９７】
また、売り手及び設置者も、通知情報を参照しつつ、登録販売商品情報や登録設置商品情報の変更を行うことができる。
つまり、新規のオークション取引開始の通知（取引開始通知）やセット情報の変更（新規登録）の通知（セット情報更新通知）を受けた売り手及び設置者は、新規取引の開始後、事後的に参加登録（応札）の選択を行うことができる。
【００９８】
具体的に説明すると、登録販売商品（登録設置商品）について、事後的に取引への参加登録を希望する場合は、まず、希望販売条件入力（変更）画面や希望設置条件入力（変更）画面を表示する。
その画面において、オークション取引中の取引コードの一覧から参加登録を希望する取引コードを選択し、情報処理部に、変更後の希望販売条件（希望設置条件）を送信する。
なお、売り手（又は設置者）は、取引開始通知や新規登録時のセット情報更新通知の受信の有無に拘わらず、オークション取引中、随時、登録販売商品情報（又は登録設置商品情報）の変更（更新）を行うことができる。
つまり、事後的な参加登録の選択の他にも、例えば、自動登録の選択済みの商品について、自動登録を解除する選択や、参加登録の選択済みの商品について、参加登録を解除する選択の登録などの変更（更新）を行うことができる。
【００９９】
情報処理部10は、オークション取引開始ステップを実行すると、オークション取引の取引状態になる（取引状態ステップ、図５参照）。
取引状態においては、各種の更新処理や更新ステップが定期的に実行される。
例えば、参加登録の選択に関する登録販売商品情報（登録設置商品情報）が更新されることがあれば、この更新後に実行されるオークション取引情報更新処理（セット情報抽出処理やセット情報登録処理を含む）などの各種の更新処理は、更新後の情報に基づいて実行される。
情報処理部10は、取引状態のとき、登録されたセット情報を基に、定期的に、各取引の登録オークション取引情報を更新する（オークション取引情報更新ステップ）。
そして、情報処理部は、登録オークション取引情報の内容に変更があったことを、オークション取引関係者に通知する（オークション取引情報更新通知）。
情報処理部は、随時行われる登録情報の更新に備え、常時、定期的に、登録オークション取引情報の更新処理を行っており、その一部を構成する処理として、セット情報抽出・登録処理を行っているので、参加登録の選択に関する情報が更新されると、直ぐに更新後の情報が各登録オークション取引情報に反映される。
なお、何らかの情報が更新された旨のオークション情報更新通知を受けて、セット情報抽出・登録処理を行うような処理の流れにしてもよい。
【０１００】
情報処理部10は、登録オークション取引情報に含まれるオークション期限に達すると、自動的に取引の成立処理を行う（落札ステップ、落札処理）。
【０１０１】
成立処理では、主催者（買い手）の希望条件に最も適合する登録販売設置セット情報に含まれる条件で、取引を成立させる。
具体的には、情報処理部は、抽出された全てのセット情報（セット情報群）を母集団（基礎情報群）として用い、このセット情報のうちから、所定の基準を基に選択されたセット情報の条件で落札する。所定の基準としては、例えば、買い手が希望しているオークション取引の条件から選択される１つ以上の条件が用いられる。取引成立処理における典型的な条件（判断の基準）は、セット価格に基づく基準である。つまり、取引成立処理では、例えば、抽出された全てのセット情報のうち、セット価格が最も安いという基準で選択されたセット情報に含まれる希望販売条件及び希望設置条件で取引を成立させる。
【０１０２】
情報処理部は、落札ステップにおいて、主催者（買い手）及び落札した売り手及び設置者に通知する（落札通知処理）。また、オークション取引関係者全員に、オークション取引が終了した旨の通知を行う（オークション終了通知処理）。
【０１０３】
取引成立後の品質管理については後述する。
【０１０４】
ところで、オークション取引の主催者（買い手）は、上述したように、オークション期日の前であれば、買い手端末に表示可能なオークション取引情報変更画面を用いて、登録オークション取引情報の内容を随時変更することができる。つまり、オークション期日についても、他の登録情報と同様、期日前であれば随時変更できる。
【０１０５】
オークション期日の変更については、大別すると、期日の繰り下げの場合と、繰り上げの場合がある。
【０１０６】
期日の繰り下げ（取引期間の延長）又は繰り上げ（取引期間の短縮）は、対応する取引の希望購入条件入力（変更）画面で行うことができる。情報処理部は、繰り下げ又は繰り上げ後の期日の情報を受信すると、登録オークション取引情報を更新し、更新されたことをオークション取引関係者に通知する（オークション取引情報更新通知処理）。
【０１０７】
期日の繰り上げについては、さらに、具体的な日時を指定する方法の他に、「即時」という選択が可能である（オファー選択処理、オファー選択情報の送信）。
情報処理部は、更新後の登録オークション取引情報の内容のうち、オークション期日が「即時」の場合、更新後の登録オークション取引情報を生成する更新処理を行い、更新後の登録オークション取引情報に基づいて、即座に、そのオークション取引の落札ステップを実行する。
【０１０８】
なお、「即時」を選択する場合は、「即時」の選択だけでなく、抽出された全てのセット情報のうち、主催者（買い手）が希望する１つのセット情報を落札対象として選択できるようにしてもよい。
【０１０９】
期日の繰り上げについては、さらに、具体的な日時を指定する方法の他に、「２４時間後」という選択が可能である（オファー選択処理、オファー選択情報の送信）。なお、具体的な時間の数値は２４時間に限られない。
情報処理部は、オークション期日について「２４時間」との情報を受信すると、登録オークション取引情報を更新し、更新されたことをオークション取引関係者に通知する（落札直前通知処理）。
「２４時間後」が選択された後の更新の落札直前通知では、抽出された全てのセット情報（登録セット情報）のリストを通知する。これにより、落札直前通知を受けた売り手及び設置者に対して、登録販売商品情報や登録設置商品情報の内容を更新を促すことができる。登録販売商品情報や登録設置商品情報が更新されれば、更新後の情報に基づいてセット情報の抽出、登録が行われることとなり、オークション取引が活性化される。
【０１１０】
また、落札直前通知には、販売価格のみのリストや、希望設置手数料のみのリストを添付することも好ましい。この場合、抽出されたセット情報には含まれていない買い手又は設置者であっても、希望販売価格リストや希望設置手数料金額リストの上位（例えば上位５番以内）に入っている売り手又は設置者にも、通知してもよい。これにより、オークション取引の活性化を促すことができる。
【０１１１】
なお、具体的な日時を指定して期日の繰り上げを行った場合であっても、指定した条件が「２４時間後」という条件に合致している場合、情報処理部は、上述した処理と同様の処理を行う。
また、期日の繰り上げの更新の登録が行われた場合に関わらず、オークション期日の「２４時間前」に到達したオークション取引については、上述の落札ステップと同様の処理を行うようにしても良い。
【０１１２】
ところで、管理情報記憶部には、各取引の登録オークション取引情報について、最初の生成時の情報及びその後の更新により生成された情報の全てが記憶される。
従って、取引が成立しているオークション取引については、成立時の登録オークション取引情報も記憶されている。
そして、登録販売商品情報、登録設置商品情報、登録販売設置セット情報についても同様に、最初の生成時の情報からその後の更新により生成された情報の全てが記憶されている。
【０１１３】
買い手、売り手及び設置者は、落札情報一覧画面を表示できる。
落札情報一覧画面には、成立した取引（落札された取引）に関する情報の一覧が表示される。また、一覧から特定のオークション取引を選択すると、そのオークション取引に関する詳細画面が表示される。
詳細画面には、特定の成立した取引に関する詳細情報が表示される。例えば、成立した取引価格、成立日から設置日までの期間などが表示される。
【０１１４】
買い手、売り手及び設置者は、登録商品一覧画面を用いて、登録販売設置セット情報一覧画面、価格情報画面、を表示することができる。
【０１１５】
登録販売設置セット情報一覧画面には、セット情報登録処理で登録されたセット情報の一覧を表示できる。表示する場合は、参加登録済みの登録販売商品を検索条件に指定するなどして、所定の条件を満たすセット情報のみを表示できる。
【０１１６】
価格情報画面では、例えば、各登録販売商品の現在の最安価格や最安価格の推移、各登録設置商品の現在の最安設置手数料や最安設置手数料の推移、販売設置費用の現在の希望販売価格と希望設置手数料の総額や総額の推移、設置日基準の最安価格情報を選択して表示することができる。
なお、設置日基準の最安価格情報とは、設置日を基準として設置希望手数料の金額や総額の金額の最安の時期（設置日の何日前か）といった情報である。
【０１１７】
本システムでは、取引成立後の品質管理を行うことができる。
【０１１８】
情報処理部は、取引が成立すると、落札ステップにおいて、成立したオークション取引の主催者（買い手）、その取引を落札した商品の売り手及び設置者に、取引完了後の結果報告を求める通知を行う（結果報告要求通知処理、図７参照）。
売り手には販売結果報告を求め、設置者には設置結果報告を求め、主催者（買い手）には、販売設置結果報告を求める。
【０１１９】
情報処理部は、成立した取引で販売・設置された商品に関する販売結果報告を受信すると受信情報を含む登録商品販売実績情報を生成し、設置結果報告を受信すると受信情報を含む登録商品設置実績情報を生成し、実際に商品を購入して設置サービスを受けた買い手からの購入結果報告（販売設置結果報告）を受信すると受信情報を含む登録購入実績情報を生成し、それぞれ、品質記憶部24に記憶する（結果情報生成処理）。その際、記憶した実績情報を対応する商品の商品情報と紐づけする。
具体的には、登録商品一覧から所望の商品を選択して表示した詳細画面において、登録商品販売実績情報、登録商品設置実績情報及び登録購入実績情報が選択可能になっており、閲覧可能になっている。
【０１２０】
このような本実施形態のシステムは、設置が必要な種々の商品の販売及び設置に関するビジネスの支援に用いることができる。
【０１２１】
そこで、次に、本システムを用いたオークション取引の対象商品が給湯器である場合について説明する。
【０１２２】
ここでは、オークション取引開始前に、登録販売商品情報RSなどの各種の情報が多数登録されている状態を前提として説明する。
具体的に説明すると、複数の売り手（SA1、SA2、…）が登録されており、各売り手がそれぞれ登録販売商品情報（RS1、RS2、…）を登録していることとする（図１参照）。また、複数の設置者（IN1、IN2、…）が登録されており、各設置者がそれぞれ登録設置商品情報(RI1、RI2、…)を登録していることとする。
【０１２３】
そして、多数の登録販売商品情報RS及び登録設置商品情報が登録されており、メイン記憶部21に記憶されている（図８参照）。
各登録販売商品情報は、販売商品登録番号(RS1、RS2、…)、売り手ID(SA1、SA2、…)、製品カテゴリ（例えば、エコキュート、ガス給湯器など）、容量又は使用可能湯量（例えば360リットル、470リットルなど）、販売可能な給湯器の型番(例えばHW1)、希望販売価格(SA1p1、SA1p2、…)、販売可能数量、可能納品日時、販売可能エリア（ここでは、日本全国）、取引への参加の登録の選択、事前参加登録に関する情報を含むものとする。
各登録販売商品情報は、設置商品登録番号(RI1、RI2、…)、設置者ID(IN1、IN2、…)、製品タイプ（例えば、エコキュート、IHなど）、容量又は使用可能湯量（例えば360リットル、470リットルなど）、設置可能な給湯器の型番(例えばHW1)、希望設置価格、設置可能数量、希望納品日時、設置可能日時、設置可能エリア（ここでは、日本全国）取引への参加の登録の選択、事前参加登録に関する許否情報を含む。
ここでは、各売り手SA及び設置者INは、いずれも事前参加登録をしており、全ての登録販売商品情報(RS１、RS2、…)及び登録販売商品情報(RI1、RI2、…)は、本システムで開始されたオークション取引に事前参加登録されているものとする。
【０１２４】
また、随時実行されるセット情報生成（更新）処理によって、複数のセット情報（販売設置セット情報）が生成されておりメイン記憶部に記憶されている（図８参照）。
セット情報(SE1、SE2、…)は、登録販売商品情報(RS1、RS2、…)及び登録販売商品情報(RI1、RI2、…)に含まれる情報の他に、希望販売価格と希望設置価格を合計した希望セット価格を含む。
なお、セット情報生成時に組み合わせられる登録販売商品情報(RS１、RS2、…)及び登録販売商品情報(RI1、RI2、…)のうちの少なくともいずれか一方がオークション取引A1について参加登録をしていない情報である場合、生成されたセット情報は、未登録セット情報として記憶されており、セット情報抽出処理における抽出対象から除外される。
【０１２５】
また、情報処理部は、一日に複数回（ここでは、一時間毎の毎正時に定期的に）、上述のセット情報更新処理を実行している。
そして、このとき同時に、登録販売保存情報生成処理、登録設置保存情報生成処理、セット価格保存情報生成処理、最低セット価格保存情報生成処理、平均セット価格保存情報生成処理、最低セット価格変動情報生成処理、平均セット価格変動情報生成処理を実行する（図５の取引状態ステップ参照）。
【０１２６】
登録販売保存情報生成処理は、この時点で有効な（例えばメイン記憶部に記憶された）各登録販売商品情報RS1,RS2,RS3…について、その登録販売商品情報に、この処理の日時（情報有効日時）の情報を加えた登録販売保存情報RSs1,RSs2,RSs3…を生成する処理である。
登録設置保存情報生成処理は、この時点で有効な各登録設置商品情報RI1,RI2,RI3…について、その登録設置商品情報に、この処理の日時（情報有効日時）の情報と、当該情報有効日時と、当該登録設置商品情報に含まれる可能設置日時との最短差分期間の情報とを加えた登録設置保存情報RIs1,RIs2,RIs3…を生成する処理である。
登録設置保存情報生成処理の日時（情報有効日時）が２０１７年６月１日午前５時で、可能設置日時が２０１７年６月８日午前１０時以降であれば、最短差分期間は７日５時間である。
【０１２７】
セット価格保存情報生成処理は、同時期に生成された登録販売保存情報RSs1,RSs2,RSs3…及び登録設置保存情報RIs1,RIs2,RIs3…に含まれている情報と、希望セット価格（希望販売価格と希望設置価格の合計）と、この処理の日時の情報を１つにまとめたセット価格保存情報SEs1,SEs2,SEs3…を生成する処理である。
【０１２８】
最低セット価格保存情報生成処理は、生成されたセット価格保存情報のうち、希望セット価格が最低であるセット価格保存情報(例えば、SEs2が最低であればL=SEs2）を、最低セット価格保存情報（参考セット価格保存情報）L=SEs2として記憶する処理である（図８参照）。
平均セット価格保存情報生成処理は、生成されたセット価格保存情報の希望セット価格及び最短差分期間に基づいて算出した平均希望セット価格及び平均最短差分期間と、対象標品の型番とを含む平均セット価格保存情報（参考セット価格保存情報）SEsM（図８参照）を記憶する処理である。
【０１２９】
平均セット価格変動情報生成処理は、平均セット価格保存情報を用いて、平均希望セット価格の過去から現在への推移を示す平均セット価格変動情報（図９参照）を生成する処理である。図９に示される価格変動情報は、グラフで示された価格変動情報である。なお、図９のグラフにおいて下向きの矢印の上に表示されている数字は差分期間を示す日数である。
最低セット価格変動情報生成処理は、最低セット価格保存情報を用いて、最低希望セット価格の過去から現在への推移を示す最低セット価格変動情報（図１０参照）を生成する処理である。図１０に示される価格変動情報は、グラフで示された価格変動情報である。なお、図１０のグラフにおいて下向きの矢印の上に表示されている数字は最低セット価格保存情報に含まれる差分期間の情報（日数）である。
【０１３０】
このような情報が登録又は記憶されている状態で、買い手BU1が希望購入条件を入力して登録すると、登録された情報に基づいて登録オークション情報が生成され、買い手BU1が主催者であるオークション取引A1が開始される。
【０１３１】
なお、オークション取引の開始当初の登録オークション情報は、オークション取引コード（例えばA1）と、買い手ID（BU1）、製品タイプ（例えば、エコキュート、IHなど）、容量又は使用可能湯量（例えば360リットル、470リットルなど）、購入を希望する給湯器の型番（例えばHW1)、希望購入数量、希望設置日時、オークション期日（落札日）、などの登録購入情報を含むものとする。
【０１３２】
情報処理部は、オークション取引A1が開始されると、オークション取引開始ステップを実行する（図５参照）。
このステップでは、オークション取引A1の登録オークション情報に基づいて、セット情報(SE1、SE2、…)を探索し（図８参照）、希望購入条件に合致するセット情報を抽出する（セット情報抽出処理）。抽出された全てのセット情報SEa1,SEa2,SEa3…は、登録オークション取引情報の一部として登録（記憶）する（セット情報登録処理）。
【０１３３】
本実施例のシステムでは、情報処理部10は、オークション取引開始ステップの時点でも、セット情報抽出処理やセット情報登録処理を行うと共に、抽出されたセット情報を対象として、設置日基準希望設置価格変動情報生成処理と、設置日基準希望セット価格変動情報生成処理を実行する。
なお、取引状態ステップ（図５参照）において定期的（例えば、一時間毎の毎正時）に実行される設置日基準希望設置価格変動情報生成処理および設置日基準希望セット価格変動情報生成処理は、価格記憶部23に記憶された全てのセット価格保存情報を対象として実行される処理であるので、処理対象の情報が異なる。
【０１３４】
オークション取引開始ステップの際に実行される設置日基準希望設置価格変動情報生成処理では次の処理が行われる。
つまり、給湯器HW1に関する全てのオークション取引（例えばオークション取引A1、A2）に関して抽出されて登録オークション取引情報に登録された各セット情報SEa1,SEa2,SEa3,SEa4…について、当該処理の実行日時とセット情報に含まれた希望設置日時との設置日基準差分期間が算定される。
そして、各セット情報ごとに、設置日基準差分期間T1,T2,T3…と希望設置価格P1,P2,P3…とが組み合わされた組情報G1(T1,P1),G2（T2,P2),G3（T3,P3)…が生成され、複数の組情報を含む設置価格変動情報群が生成される。
そして、設置日基準差分期間に対応する時間軸（横軸）と、希望設置価格の設置価格軸（縦軸）とで構成される二次元座標に、生成された設置価格変動情報群（G1、G2、…）の各組情報に含まれる設置日基準差分期間（T1、T2、…）の値を負にした値（-T1、−T2、…）と希望設置価格（P1、P2、…）の値で特定される特定点（G1、G2、…）を反映し（図１１参照）、複数の特定点が反映された二次元座標情報に基づいて、基準とする設置日に向かう希望設置価格の推移を示す希望設置価格変動曲線（設置日基準希望設置価格変動情報）L1が生成される（図１１参照）。
【０１３５】
設置日基準希望セット価格変動情報生成処理では、さらに、各セット情報ごとに、設置日基準差分期間T1,T2,T3…と希望セット価格PS1,PS2,PS3…とが組み合わされた組情報GS1(T1,PS1),GS2（T2,PS2),GS3（T3,PS3)…が生成され、複数の組情報を含むセット価格変動情報群が生成される。
そして、設置日基準差分期間に対応する時間軸（横軸）と、希望セット価格PS1,PS2,PS3…の設置価格軸（縦軸）とで構成される二次元座標に、生成された価格変動情報群（GS1、GS2、…）に含まれる設置日基準差分期間（T1、T2、…）の値を負にした値（-T1、−T2、…）と希望セット価格（PS1、PS2、…）の値で特定される特定点（GS1、GS2、…）を反映し（図１２参照）、複数の特定点が反映された二次元座標情報に基づいて、基準とする設置日に向かう希望セット価格の推移を示す希望セット価格変動曲線（設置日基準希望セット価格変動情報）L2が生成される（図１２参照）。
【０１３６】
情報処理部は、また、新規オークション取引A1の開始を、全ての売り手及び設置者に通知する（取引開始通知処理）。
取引開始通知では、同時に、オークション取引A1の登録オークション取引情報の内容の一部又は全部を通知する（オークション取引情報更新通知）。これにより、最新の登録オークション取引情報が全ての売り手及び設置者に通知される。
【０１３７】
取引開始通知後、新たな登録販売商品情報や登録販売商品情報が本オークション取引A1について、事後的に参加登録された場合、情報処理部は、その後に実行するセット情報生成処理で新たなセット情報を生成する。生成されたセット情報は、その後のセット情報抽出処理の抽出対象になり、抽出されたセット情報は、セット情報登録処理によって、登録オークション取引情報の一部として登録される。セット情報登録処理によって、オークション取引A1の登録オークション取引情報の内容が更新されると、情報処理部は、オークション取引関係者にそのことを通知する（オークション取引情報更新通知）。
【０１３８】
ところで、オークション取引A1が行われている期間（開始から落札前）、主催者（買い手）BU1は、価格変動情報の提供を求めることができる。価格変動情報とは、例えば、平均セット価格変動情報、最低セット価格変動情報、希望設置価格変動情報、希望セット価格変動情報を挙げることができる。
【０１３９】
物品に関するオークション取引では、取引期限に向けて価格が上がり、物品に関する逆オークション取引では、取引期限に向けて価格が下がるので、価格変動に関する情報は必要ない。ところが、本実施例の給湯器の販売設置に関する取引のように、給湯器の製品価格だけでなく給湯器の設置価格という要素を含む場合（複数の価格決定要素が含まれる場合）、取引期限に向けて価格が一定の方向に変動するとは限らない場合がある。
例えば、本実施例において価格決定要素の一つになっている給湯器の設置価格の変動は、設置可能台数に限界があることに起因して生じることがある。製品を設置するためには、設置作業者や設置時間など設置作業に必要な資源（要素）を確保する必要があるところ、設置作業者等の確保には限界があるので、設置希望台数が急に増加したとしても必要な作業者等を確保できない場合があり、このような場合、取引期限と関係しない要因で設置価格が上がることがある。つまり、設置価格は、設置作業者などの設置作業に必要なものの確保については柔軟な対応が難しいことに起因して、変動が生じる要素である。このようなことは、例えば、人気の製品や、急に人気が高まった製品などにおいて生じることがあると考えられる。
【０１４０】
情報処理部は、オークション取引A1の主催者（買い手）BU1が使用する買い手端末から、オークション取引A1の対象商品である給湯器HW1について、平均セット価格変動情報の提供を求める平均セット価格変動情報要求（図５参照）を受信すると、平均セット価格変動情報を、買い手端末に送信する処理（平均セット価格変動情報提供処理）を実行する。
ここでは、グラフの平均セット価格変動情報（図９参照）が提供される。主催者BU1は、この情報を基にオークション取引において妥当な価格判断をすることができる。
情報処理部は、平均セット価格変動情報要求に、差分期間の情報の要求が含まれていると否とにかかわらず、差分期間の情報を提供することができる（図９の下向き矢印の上の数字参照）オークション主催者の買い手BU1は、差分期間を認識することで、グラフ上の価格の意味の理解をさらに進めることができ、オークション取引においてより妥当な価格判断をすることができる。
【０１４１】
情報処理部は、主催者BU1が使用している買い手端末から、オークション取引の対象商品に関する設置日基準希望設置価格変動情報の提供を求める設置日基準希望設置価格変動情報要求（図５参照）を受信すると、設置日基準希望設置価格変動情報を、買い手端末に送信する処理（設置日基準希望設置価格変動情報提供処理）を実行する。
ここでは、グラフの設置日基準希望設置価格変動情報（図１１参照）が提供される。主催者BU1は、この情報を基にオークション取引において妥当な価格判断をすることができる。
【０１４２】
情報処理部は、主催者BU1の買い手端末から、オークション取引の対象商品に関する設置日基準希望セット価格変動情報の提供を求める設置日基準希望セット価格変動情報要求を受信すると、設置日基準希望セット価格変動情報を、買い手端末に送信する処理（設置日基準希望セット価格変動情報提供処理）を実行する。
ここでは、グラフの設置日基準希望セット価格変動情報（図１２参照）が提供される。主催者BU1は、この情報を基にオークション取引において妥当な価格判断をすることができる。
【０１４３】
情報処理部は、主催者BU1の買い手端末から、抽出されたセット情報のうちのいずれかのセット情報に含まれる設置者情報の設置者INの商品設置実績の開示を求める設置実績開示要求を受信すると、当該セット情報の商品に関する当該設置者INの登録商品設置実績情報を買い手端末に送信する処理（商品設置実績開示処理）を実行する。
ここでは、当該設置者INが過去のオークション取引において落札して設置した案件について、結果報告要求通知処理（図７参照）に応じて設置完了後に報告した結果報告の内容や評価内容が提供される。設置者からの結果報告の内容としては、例えば、設置現場の写真等を挙げることができる。また、評価内容としては、例えば、そのオークション取引で商品を購入して設置してもらった買い手BUの結果報告の内容を挙げることができる。
【０１４４】
情報処理部は、セット情報抽出処理で抽出された１つ以上のセット情報で構成されたセット情報群のうちから特定される１つ以上の特定セット情報を、抽出されたセット情報から除外することについて、オークション取引を主催する買い手が使用している買い手端末から抽出セット情報除外要求を受信すると、前記特定セット情報を前記セット情報群から除外する処理（除外処理）を実行する。
抽出されたセット情報のうち、何らかの理由で落札を希望しないセット情報がある場合、そのセット情報を除外すれば、その後の落札ステップにおいて落札されることが確実に防止され、主催者BUはより容易に、より望ましい落札結果を得ることができる。
【０１４５】
また、オークション期日の前に、主催者BUが期日の繰り上げを行い、例えば「２４時間後」という選択がされると、情報処理部は、登録オークション取引情報のオークション期日に関する情報を更新する。
また、情報処理部は、オークション期日が更新されたことを、オークション取引関係者に通知する（落札直前通知）。
落札直前通知は、全ての売り手及び設置者に通知される。
【０１４６】
オークション期日に達すると、情報処理部は、成立処理を行う（落札ステップ）。
成立処理では、登録オークション取引情報に含まれる全てのセット情報の中から費用総額が最も安いセット情報が落札したこととなり、落札したセット情報に含まれる希望販売条件及び希望設置条件で取引を成立させる。
【０１４７】
そして、情報処理部は、主催者（買い手）と、落札したセット情報に含まれる売り手及び設置者に落札の通知を行う（落札通知）。
【０１４８】
また、情報処理部は、取引が成立すると、落札ステップにおいて成立したオークション取引の主催者（買い手）、その取引を落札した商品の売り手及び設置者に、取引完了後の結果報告を求める通知を行う（結果報告要求通知処理、図７参照）。
【０１４９】
このように、本システムによれば、施工業者に設置の依頼が必要な商品について、購入及び設置に関する取引をスムーズに行うことができる。
【図１】
2019023778.tif 000003
【図２】
2019023778.tif 000004
【図３】
2019023778.tif 000005
【図４】
2019023778.tif 000006
【図５】
2019023778.tif 000007
【図６】
2019023778.tif 000008
【図７】
2019023778.tif 000009
【図８】
2019023778.tif 000010
【図９】
2019023778.tif 000011
【図１０】
2019023778.tif 000012
【図１１】
2019023778.tif 000013
【図１２】
2019023778.tif 000014